(57)【特許請求の範囲】
【請求項１】
通信ネットワークを経て第１ユーザ装置と第２ユーザ装置との間に通信リンクを設定するための手順を開始し、
上記通信リンクを経て通信するのに使用できる少なくとも２つの通信モードに関する情報を上記第１ユーザ装置と上記第２ユーザ装置との間でシグナリングし、上記少なくとも２つの通信モードのうちの１つは、通信の開始に使用されるものであり、そして上記少なくとも２つの通信モードのうちの他の１つは、上記通信リンクを経ての通信中に考えられる使用に対して予約されており、
通信に使用されるモードを通信に使用されるべき上記少なくとも２つの通信モードのうちの他方のモードへ変更することに関する指示子を上記第１ユーザ装置と上記第２ユーザ装置との間でシグナリングし、そして
上記指示子に基づいて通信中の上記モードを変更するための手順を上記ユーザ装置の少なくとも一方で開始する、
という段階を備え、
上記第１ユーザ装置と上記第２ユーザ装置の少なくとも一方は、ワイヤレスインターフェイスを経て上記通信ネットワークと通信することを特徴とする方法。
【請求項２】
上記指示子のシグナリングは通信中に行われる請求項１に記載の方法。
【請求項３】
上記少なくとも２つの通信モードに関する情報のシグナリングは、通信のための第１モードとして使用されねばならない上記少なくとも２つの通信モードのうちの１つのモードに関する指示子をシグナリングすることを含む請求項１に記載の方法。
【請求項４】
上記少なくとも２つの通信モードのうちの１つのモードは、スピーチの送信に対するものであり、そして上記少なくとも２つの通信モードのうちの１つのモードは、マルチメディアの通信に対するものである請求項１に記載の方法。
【請求項５】
上記少なくとも２つの通信モードのうちの１つのモードは、非限定デジタル情報と限定デジタル情報のうちの一方の通信に対するものである請求項１に記載の方法。
【請求項６】
上記第１ユーザ装置と上記第２ユーザ装置との間のシグナリングは、上記通信ネットワークの少なくとも１つのネットワーク要素を透過的に通過される請求項１に記載の方法。
【請求項７】
上記第１ユーザ装置と上記第２ユーザ装置との間のシグナリングに対してユーザ対ユーザ形式のシグナリングサービスの利用を含む請求項１に記載の方法。
【請求項８】
上記第１ユーザ装置と上記通信ネットワークの第１要素との間に第１通信岐路が形成され、そして上記第２ユーザ装置と上記通信ネットワークの第２要素との間に第２通信岐路が形成され、上記第１通信岐路及び上記第２通信岐路は、通信に使用されるべき上記第１モードに関する上記指示子のシグナリングに応答して同期される請求項３に記載の方法。
【請求項９】
上記通信ネットワーク内の通信モードが設定され、上記通信ネットワークは、上記少なくとも２つの通信モードの各々に基づいて通信を取り扱うことができる請求項１に記載の方法。
【請求項１０】
上記少なくとも２つの通信モードに関する情報は、設定メカニズムに基づいて発生されたメッセージにおいてシグナリングされる請求項１に記載の方法。
【請求項１１】
上記少なくとも２つの通信モードに関する情報は、設定メッセージと設定メッセージとの間の設定シグナリング中にシグナリングされる請求項１に記載の方法。
【請求項１２】
上記少なくとも２つの通信モードに関する情報がベアラ能力情報エレメントによりシグナリングされる請求項１に記載の方法。
【請求項１３】
最初にマルチメディアモードにおいて通信リンクを設定し、直ちにモードをスピーチモードに変更し、そしてもし必要であれば、マルチメディアモードに変更して戻す請求項１に記載の方法。
【請求項１４】
上記ユーザ装置の少なくとも一方は、回路交換通信ネットワークを経て通信する請求項１に記載の方法。
【請求項１５】
メモリ上に埋め込まれ且つプロセッサによって実行されるコンピュータプログラムコードによって実行される請求項１に記載の方法。
【請求項１６】
上記指示子をシグナリングすることが、通信中の上記通信のモードを変更するための上記手順を開始する請求項１に記載の方法。
【請求項１７】
少なくとも１つのプロセッサと、
コンピュータプログラムコードを含む少なくとも１つのメモリと、を備える装置であって、
上記少なくとも１つのメモリと上記コンピュータプログラムコードは、上記少なくとも１つのプロセッサを用いて、少なくとも、
通信ネットワークを経て上記装置とユーザ装置との間に通信リンクを設定するための手順を開始させ、
上記通信リンクを経て通信するのに使用できる少なくとも２つの通信モードに関する情報を上記装置と上記ユーザ装置との間でシグナリングさせ、上記少なくとも２つの通信モードのうちの１つは、通信の開始に使用されるものであり、そして上記少なくとも２つの通信モードのうちの他の１つは、上記通信リンクを経ての通信中に考えられる使用に対して予約されており、
通信に使用されるモードを通信に使用されるべき上記少なくとも２つの通信モードのうちの他のモードへ変更することに関する指示子を上記装置と上記ユーザ装置との間でシグナリングさせ、そして
上記指示子に基づいて通信中の上記モードを変更するための手順を上記装置で開始させ、
上記装置は、ワイヤレスインターフェイスを経て上記通信ネットワークと通信することを特徴とする装置。
【請求項１８】
上記指示子をシグナリングすることは、通信中に行われる請求項１７に記載の装置。
【請求項１９】
通信ネットワークを経て第１ユーザ装置と第２ユーザ装置との間に通信メディアを設定するための手順を開始し、
上記通信メディアを経て通信するのに使用できる少なくとも２つの通信モードに関する情報を上記通信ネットワークのネットワーク要素を経て上記第１ユーザ装置と上記第２ユーザ装置との間でシグナリングし、上記少なくとも２つの通信モードのうちの１つは、通信の開始に使用されるものであり、そして上記少なくとも２つの通信モードのうちの他の１つは、上記通信メディアを経ての通信中に考えられる使用に対して予約されており、
通信に使用されるモードを上記少なくとも２つの通信モードの中から選択された他方のモードへ変更することに関する指示子を上記ネットワーク要素を経て上記第１ユーザ装置と上記第２ユーザ装置との間でシグナリングし、そして
上記指示子に基づいて通信中の上記モードを変更する、
という段階を備え、
上記第１ユーザ装置と上記第２ユーザ装置の少なくとも一方は、ワイヤレスインターフェイスを経て上記通信ネットワークと通信することを特徴とする方法。
【請求項２０】
上記少なくとも２つの通信モードに関する情報のシグナリングは、他に命令されるまで通信の始めに使用されねばならない上記少なくとも２つの通信モードのうちの１つのモードの指示子をシグナリングすることを含む請求項１９に記載の方法。
【請求項２１】
上記選択されたモードは、上記指示子を受信したときに使用される通信モードとは異なるモードを含む請求項１９に記載の方法。
【請求項２２】
上記少なくとも２つの通信モードのうちの１つのモードは、スピーチ通信のためのものであり、そして上記少なくとも２つの通信モードのうちの１つのモードは、マルチメディア通信のためのものである請求項１９に記載の方法。
【請求項２３】
上記少なくとも２つの通信モードのうちの１つのモードは、非限定デジタル情報又は限定デジタル情報を通信するためのものである請求項１９に記載の方法。
【請求項２４】
上記シグナリングは、少なくとも１つのネットワーク要素を透過的に通過される請求項１９ないし２３のいずれかに記載の方法。
【請求項２５】
上記ネットワーク要素と、通信に関連した第２エンティティとの間のシグナリングに対してユーザ対ユーザ形式のシグナリングサービスを利用することを含む請求項１９に記載の方法。
【請求項２６】
上記通信ネットワークの第１通信岐路は、上記第１ユーザ装置と上記ネットワーク要素との間に形成され、そして上記通信ネットワークの第２通信岐路は、上記第２ユーザ装置と第２ネットワーク要素との間に形成され、上記第１通信岐路及び上記第２通信岐路は、通信の始めに使用されるべき上記モードに関する上記指示子のシグナリングに応答して同期される請求項２０に記載の方法。
【請求項２７】
上記通信ネットワーク内の通信モードは、上記通信ネットワークが上記少なくとも２つの通信モードの各々に基づいて通信を取り扱うことができるように設定される請求項１９に記載の方法。
【請求項２８】
上記少なくとも２つの通信モードに関する情報は、設定シグナリング中にシグナリングされる請求項１９に記載の方法。
【請求項２９】
上記少なくとも２つの通信モードに関する情報は、ベアラ能力情報エレメントによりシグナリングされる請求項１９に記載の方法。
【請求項３０】
メモリ上に埋め込まれ且つプロセッサによって実行されるコンピュータプログラムコードによって実行される請求項１９に記載の方法。
【請求項３１】
少なくとも１つのプロセッサと、
コンピュータプログラムコードを含む少なくとも１つのメモリと、を備える装置であって、
上記少なくとも１つのメモリと上記コンピュータプログラムコードは、上記少なくとも１つのプロセッサを用いて、少なくとも、
通信ネットワークを経て上記装置とユーザ装置との間に通信メディアを設定するための手順を開始させ、
上記通信メディアを経て通信するのに使用できる少なくとも２つの通信モードに関する情報を上記通信ネットワークのネットワーク要素を経て上記装置と上記ユーザ装置との間でシグナリングさせ、上記少なくとも２つの通信モードのうちの１つは、通信の開始に使用されるものであり、そして上記少なくとも２つの通信モードのうちの他の１つは、上記通信メディアを経ての通信中に考えられる使用に対して予約されており、
通信に使用されるモードを上記少なくとも２つの通信モードの中から選択された他方のモードへ変更することに関する指示子を上記ネットワーク要素を経て上記装置と上記ユーザ装置との間でシグナリングさせ、そして
上記指示子に基づいて通信中の上記モードを変更させ、
上記装置は、ワイヤレスインターフェイスを経て上記通信ネットワークと通信することを特徴とする装置。
【請求項３２】
通信システムのためのネットワーク要素であって、このネットワーク要素は、ユーザ装置と上記通信システムとの間に設けられた通信岐路を制御して、
上記通信岐路を経て通信するのに使用できる少なくとも２つの通信モードに関する情報を送信又は受信することの少なくとも一方を行い、ここで、上記少なくとも２つの通信モードのうちの１つは、上記通信岐路を経ての通信の開始に使用されるものであり、そして上記少なくとも２つの通信モードのうちの他の１つは、上記通信岐路を経ての通信中に考えられる使用に対して予約されており、
通信に使用されるモードを上記少なくとも２つの通信モードの中から選択された他方のモードへ変更することに関する指示子を送信又は受信することの少なくとも一方を行い、  上記指示子に基づいて上記通信岐路において通信中の上記モードを変更するように構成されており、
ここで、上記ユーザ装置と上記通信システムとの間の通信はワイヤレスインターフェイスを経てのものである、ことを特徴とするネットワーク要素。
【発明の詳細な説明】
【技術分野】
【０００１】
本発明は、通信システムに係り、より詳細には、２つのノード間の通信モードの設定に係る。
【背景技術】
【０００２】
通信システムは、システムに関連したユーザターミナル装置及び／又は他のノードのような２つ以上のエンティティ間に通信接続を与えるように構成される。通信は、例えば、音声、電子メール（ｅ−メール）、テキストメッセージ、マルチメディア等の通信を含む。通信システムは、固定ラインを経て、或いはユーザターミナル又は他のノードのためのワイヤレスインターフェイスを経て、通信を行う。ワイヤレス通信を搬送するシステムの一例は、公衆地上移動ネットワーク（ＰＬＭＮ）である。固定ラインネットワークの一例は、公衆交換電話ネットワーク（ＰＳＴＮ）である。
【０００３】
通信システムは、通常、システムの種々の要素が何を行うことが許されそしてそれをいかに行うべきか規定した所与の規格又は仕様に基づいて動作する。例えば、この規格又は仕様は、ユーザ、より詳細には、ユーザ装置又はターミナルに、回路交換（ＣＳ）サービスが提供されるか、パケット交換（ＰＳ）サービスが提供されるか、或いはその両方が提供されるかを規定する。接続に使用されるべき通信プロトコル及び／又はパラメータも、通常、規定される。例えば、ユーザ装置と通信ネットワークの要素との間で通信をいかに実施すべきかは、通常、規定の通信プロトコルに基づく。換言すれば、通信システムにより通信を行えるようにするためには、通信の基礎となる特定の１組の「ルール」を規定する必要がある。
【０００４】
ワイヤレス通信のための種々の規格及び／又は仕様は、例えば、ＧＳＭ（登録商標）（移動通信用のグローバルシステム）、ＡＭＰＳ（アメリカン移動電話システム）、ＤＡＭＰＳ（デジタルＡＭＰＳ）、ＧＳＭベースの種々のシステム、例えば、ＧＰＲＳ（汎用パケット無線サービス）のような仕様を含むが、これらに限定されない。いわゆる第三世代（３Ｇ）の規格は、ＷＣＤＭＡ（登録商標）（ワイドバンドコード分割多重アクセス）ベースのＵＭＴＳ（ユニバーサル移動テレコミュニケーションシステムにおける多重アクセス）、ＩＭＴ２０００（国際移動テレコミュニケーションシステム２０００）、ｉホン、等々を含む。
【０００５】
典型的なワイヤレスセルラー通信システムでは、無線アクセスネットワークのベースステーションが、ワイヤレスインターフェイスを経て、移動ステーションや同様のターミナル装置のようなユーザ装置にサービスする。セルラーシステムの各セルは、常時ではないが通常ベースステーション（ＢＳ）と称される適当なトランシーバ装置によってサービスを受けることができる。ベースステーションは、コントローラエンティティに接続されて、それにより制御される。例えば、ＧＳＭ無線ネットワークでは、ベースステーションが、ベースステーションコントローラ（ＢＳＣ）と称されるノードに接続されて、それにより制御される。このＢＳＣノードは、次いで、移動交換センター（ＭＳＣ）、サービングＧＰＲＳサポートノード（ＳＧＳＮ）又は同様のファシリティに接続されて、それにより制御される。コントローラエンティティは、適当なサーバーエンティティにより形成されることが明らかである。例えば、ＭＳＣの機能は、ＭＳＣサーバー（ＭＳＳ）により与えられる。
【０００６】
ユーザ装置とネットワークとの間の通信リンク、即ちいわゆるユーザ対ネットワーク岐路(leg)は、通常、少なくとも１つのコントローラエンティティにより制御される。この岐路は、例えば、ホーム又は訪問先ＭＳＣ又はＭＳＳ媒体ゲートウェイ（ＭＧＷ）によって制御される。通信ネットワークを経て２つのユーザ装置間の通信経路を設定するときには、経路の両端における岐路の通信モードは、ユーザに対して所望の通信モードを提供できるように設定されそして同期される。例えば、発呼ユーザは、被呼ユーザとのスピーチ接続或いはビデオ又は他のマルチメディア接続をもつことを望み、それに応じて接続が設定される。
【０００７】
又、公知技術は、マルチメディアコールを確立する試みが失敗した場合にコールをスピーチモードに戻すことのできる後退振舞いも示唆している。この特徴により、発呼ユーザは、被呼者が映像又は他のマルチメディアコールの受信をサポートするか又は希望するかを知る必要がない。というのは、この場合に、コールが自動的にスピーチコールに後退するからである。この後退特徴が与えられない場合には、コール設定が単純に失敗となる。
【０００８】
又、ユーザは、コール進行中に、例えば、スピーチモードからマルチメディアモードへ変更できることも希望する。これは、例えば、ユーザがスピーチ又はマルチメディアのいずれでもコールを開始でき、次いで、コール中にスピーチからマルチメディアへ及びその逆にスワップできるようないわゆるスワップ機構によって可能にされる。より詳細には、例えば、スワップ機構では、ユーザは、接続の両端の岐路で変更を開始することによりスピーチからマルチメディアへ及びそれとは逆にスワップすることができる。モード間のスワップは、各移動ステーションと訪問先移動交換センターエンティティとの間の各端岐路においてローカルに実行する必要がある。というのは、提案された解決策では、ワイヤレス岐路間の固定ネットワーク岐路がコール全体にわたって実質的に一定の６４ｋビット／ｓの送信を与え、即ちたとえ岐路のモードを変更する必要があっても固定岐路のモードが変更されないからである。
【発明の概要】
【発明が解決しようとする課題】
【０００９】
本発明者は、公知の通信システムではモードの変更が満足に機能せず、そしてユーザがモード変更のための改良された解決策を望んでいることが分かった。例えば、３ＧＰＰ（第三世代パートナーシッププロジェクト）リリース４分割コアネットワークアーキテクチャー、即ちＭＳＣサーバー（ＭＳＳ）やメディアゲートウェイ（ＭＧＷ）ネットワーク要素のような要素を含むシステム内でコールが行われる場合には、スワップ手順は、コール内ベアラ変更手順を必要とする。この手順は、接続に関連したＭＧＷ間のユーザ平面（即ちＮｂインターフェイス）接続（コーデック）の特徴を動的に変更できるようにするために使用する必要がある。
【００１０】
本発明者は、現在ＩＳＵＰ（ＩＳＤＮユーザパート）シグナリング及びＢＩＣＣ（ベアラ独立コール制御）が与えられたスピーチのみのモードではマルチメディアコールをスタートできず、そして現在ＩＳＵＰ及びＢＩＣＣは、スピーチモードとマルチメディアモードとの間の切り換え（「スワッピング」）をサポートしないことが分かった。その結果、接続の両端岐路に考えられるスワップの同期は、ユーザに委ねられる。ユーザは、例えば、スワップについて口頭で合意する必要がある。次いで、両ユーザは、それらのターミナルにおいて適当な無線チャンネル変更手順を手動でアクチベートするか、或いは新たなコールを希望のモードで設定することが必要となる。
【課題を解決するための手段】
【００１１】
本発明の実施形態は、上記問題の１つ又は多数に対処することに向けられる。
本発明の１つの特徴によれば、通信ネットワークを経て第１ユーザ装置と第２ユーザ装置との間に通信リンクを設定するための手順を開始し、通信リンクを経て通信するのに使用できる少なくとも２つの通信モードに関する情報を第１ユーザ装置と第２ユーザ装置との間でシグナリングし、通信に使用されるべきモードに関する指示子を第１ユーザ装置と第２ユーザ装置との間でシグナリングし、そして上記指示子に基づいて通信モードを設定するための手順を上記ユーザ装置の少なくとも一方で開始するという段階を備えた通信システムにおける方法が提供される。
【００１２】
本発明の別の特徴によれば、第１ユーザ装置と第２ユーザ装置との間に通信媒体を与えるためのネットワーク装置を備えた通信システムであって、上記通信媒体は、上記第１ユーザ装置と上記ネットワーク装置との間の第１岐路と、上記第２ユーザ装置と上記ネットワーク装置との間の第２岐路と、これら第１岐路と第２岐路との間の中間部分とで構成されるような通信システムにおいて、上記岐路の少なくとも一方における通信のモードは、上記岐路の他方に関連したユーザ装置から上記ユーザ装置へシグナリングされる命令に基づいてその関連ユーザ装置により制御することのできる通信システムが提供される。
【００１３】
本発明の更に別の特徴によれば、通信システムを経て通信するためのユーザ装置であって、ユーザ装置に対して使用可能な考えられる通信モードに関する情報を含むメッセージを発生しそして解釈する手段と、このようなメッセージに含まれた情報に基づいて通信に使用しなければならないモードを制御する手段とを備えたユーザ装置が提供される。
【００１４】
本発明の更に別の特徴によれば、少なくとも２つのユーザ装置間の通信媒体を設定するための手順を開始し、通信システムのネットワーク要素から又はそのネットワーク要素へ少なくとも２つの通信モードに関する情報をシグナリングし、一方のモードは、通信の開始に使用されるものであり、そして少なくとも１つの他のモードは、通信媒体を経ての通信中に考えられる使用に対して予約されるものであり、更に、上記ネットワーク要素から又は上記ネットワーク要素へ上記少なくとも２つのモード中に選択されたモードに関する指示子をシグナリングし、そして上記指示子に基づいて通信モードを設定するという段階を備えた通信システムにおける方法が提供される。
【００１５】
本発明の更に別の特徴によれば、少なくとも２つのユーザ装置間に通信媒体を与える手段と、上記通信媒体の通信岐路を制御するネットワーク要素とを備え、上記岐路は、ユーザ装置と通信システムとの間に設けられ、上記ネットワーク要素は、少なくとも２つの通信モードに関する情報を送信及び／又は受信し、一方のモードは、上記通信媒体を経て通信を開始するのに使用され、そして少なくとも１つの他のモードは、通信媒体を経て通信する間に考えられる使用に予約され、又、上記少なくとも２つのモード間で選択されたモードに関する指示子を送信及び／又は受信すると共に、上記指示子に基づいて上記岐路における通信のモードを設定する通信システムが提供される。
【００１６】
本発明の更に別の特徴によれば、通信システムのためのネットワーク要素であって、このネットワーク要素は、ユーザ装置と通信システムとの間に設けられた通信岐路を制御するように構成され、少なくとも２つの通信モードに関する情報を送信及び／又は受信し、一方のモードは、上記通信岐路を経て通信を開始するのに使用され、そして少なくとも１つの他のモードは、通信岐路を経て通信する間に考えられる使用に予約され、又、上記少なくとも２つのモード間で選択されたモードに関する指示子を送信及び／又は受信すると共に、上記指示子に基づいて上記岐路における通信のモードを設定するネットワーク要素が提供される。
【００１７】
本発明の実施形態は、ビデオ又は他のマルチメディアコールを、需要の少ないモード、即ちスピーチモードのような低グレードモードでスタートすることのできる解決策を提供する。この低グレードモードは、安く使用できる。マルチメディアへのスワップは、必要なときだけ行うことができる。マルチメディアモードがもはや必要とされないときには、安価なスピーチモードへ戻ることができる。スワップは、ユーザによるアクチベーションを必要とせずに、自動的に同期及び制御することができる。
【図面の簡単な説明】
【００１８】
【図１】本発明の実施形態を適用できる通信システムの回路図である。
【図２】本発明の実施形態に基づく動作を示すフローチャートである。
【図３】本発明の実施形態に基づくシグナリングフローチャートである。
【図４ａ】本発明の別の実施形態に対するシグナリングフローチャートである。
【図４ｂ】本発明の別の実施形態に対するシグナリングフローチャートである。
【図５】本発明の更に別の実施形態に対するシグナリングフローチャートである。
【図６】本発明の別の実施形態に基づくシグナリングフローチャートである。
【図７】更に別の実施形態を示す図である。
【発明を実施するための形態】
【００１９】
本発明を良く理解するために、添付図面を参照して以下に詳細に説明する。
本発明の実施形態を使用できる通信システムを示す図１について説明する。より詳細には、図１は、回路交換ＰＬＭＮネットワーク１０と、２つの移動ユーザターミナル装置、即ち移動ステーションＭＳ  Ａ及びＭＳ  Ｂを示す。ＧＳＭをベースとするような典型的なＰＬＭＮシステム及びその種々の要素の動作は、当業者に知られており、従って、ここでは詳細に説明しない。各移動ステーションＭＳ  Ａ及びＭＳ  Ｂは、ワイヤレスインターフェイスを経て通信ネットワーク１０の各ベースステーションＢＳ１、ＢＳ２と通信できることに注意すれば充分であろう。移動ステーションＭＳ ＡとＭＳ Ｂとの間の通信リンク又は媒体は、ネットワーク１０内の２つのワイヤレスインターフェイス及び中間通信媒体で構成される。
【００２０】
２つのコントローラエンティティ、より詳細には、２つの移動交換センターＭＳＣ１及び２も示されている。移動交換センター（ＭＳＣ）の各々は、ホームＭＳＣ又は訪問先ＭＳＣで構成される。ＭＳＣには、サーバー又は従来のスイッチングエンティティのような適当なコントローラエンティティが設けられる。コントローラエンティティ１及び２は、移動ステーションＭＳ Ａ及びＭＳ Ｂに対して各々ワイヤレス通信リンクを与えるのを制御するためのものである。
【００２１】
ここに述べる実施形態は、ユーザターミナル装置ＭＳ  Ａ及びＭＳ  Ｂ或いは通信ネットワークの装置により実施される。通信モードの変更が少なくとも２つのユーザターミナル装置間の通信により開始されるような解決策から始めて、これらの可能性について以下に述べる。
図２のフローチャートも参照して、ユーザ装置間のシグナリングに基づく解決策を最初に一般的に説明する。
【００２２】
発呼ユーザ装置ＭＳ Ａが、例えば、スピーチモードにおいてコールをスタートしたいときには、このターミナルがこのモードを別のモードにスワップする可能性を予約する。例えば、ユーザは、既に確立されたコール中にＵＤＩ／ＲＤＩ（非限定デジタル情報／限定デジタル情報）ビデオ／マルチメディアモードへの変更の可能性を予約しようとする。
【００２３】
発呼ユーザターミナル装置ＭＳ Ａは、ＳＥＴＵＰ（設定）メッセージ（例えば、ＧＳＭ／ＵＭＴＳ ＳＥＴＵＰメッセージ）において２つのベアラ能力情報エレメント（ＢＣＩＥ）を送信することによりこれを達成する。ＢＣＩＥは、「スピーチ」ＢＣＩＥ及び「ＵＤＩ／ＲＤＩマルチメディア」ＢＣＩＥで構成される。ＢＣＩＥは、発呼ユーザ装置ＭＳ Ａのユーザがコールの進行を希望する順序であるのが好ましい。例えば、ＧＳＭ／ＵＭＴＳ ＳＥＴＵＰメッセージは、２つのＢＣＩＥを搬送することができる。従って、この特徴を設ける場合に、既存の設定シグナリングメカニズムの大幅な変更を必ずしも必要としない。
【００２４】
又、発呼ユーザ装置ＭＳ Ａは、「スピーチが先」指示を送信してもよい。この「スピーチが先」指示は、ネットワーク１０に対して透過的であるのが好ましい。むしろ、この指示は、被呼ユーザ装置ＭＳ Ｂのみにより使用されることを意図している。ある可能性によれば、発呼ユーザ装置ＭＳ Ａから被呼ユーザ装置ＭＳ Ｂへ指示子をシグナリングするために既知のユーザ対ユーザサービス（ＵＵＳ）が使用される。ユーザ対ユーザサービス（ＵＵＳ）は、近代的な通信システムのネットワーク要素において既に実施されている標準的な特徴である。
【００２５】
この指示は、例えば、被呼者ユーザ装置ＭＳ Ｂにより解釈することのできる「スピーチ」、フラグ又は他の適当な指示子のようなテキストコマンドでよい。重要なことは、被呼者ユーザ装置ＭＳ Ｂが指示子を解釈して、通信に使用すべきモードを決定できることである。適当な指示子、指示子を信号する可能性、及びその後の動作の正確な例を、図３ないし５のシグナリングフローチャートを参照して以下に説明する。
【００２６】
被呼ユーザ装置ＭＳ Ｂは、指示子を受信した後に、その確認を送信すると共に、その端岐路をスピーチモードに設定する手順を開始する。次いで、２つのユーザ装置がネットワークを経てスピーチモードで通信する。
上述したように、マルチメディアモードの可能性は、設定手順の間に予約される。ユーザがマルチメディアモードに変更したいとすれば、あるユーザ装置から別のユーザ装置へ適当な指示子をシグナリングすることにより変更を開始することができる。これは、ユーザ装置ＭＳ  Ａからユーザ装置ＭＳ  Ｂへの方向に、又はそれとは逆に実行することができる。他方のユーザ装置が指示子を受け取った後に、その岐路においてスピーチからマルチメディアへモードを変更するための手順をアクチベートする。両端の岐路が変更された後に、通信は、マルチメディアモードで続けられる。あるアプリケーションでは、端岐路と端岐路との間の通信経路も変更することが必要であるが、これは、好ましい選択肢ではない。
【００２７】
以下、図３ないし５を参照して、２つのユーザ装置間の情報をシグナリングする例について詳細に説明する。この例では、ＭＳ  Ａは、発信側ユーザであると仮定し、そしてＭＳ  Ｂは、着信側ユーザであると仮定する。ネットワークを経ての通信経路は、３つの個別のコントローラエンティティを含むように示される。これらは、発信側交換機１、トランシット交換機３、及び着信交換機２と称される。
【００２８】
図３に示す可能性によれば、いわゆるＵＵＳサービス１を使用してＳＥＴＵＰ初期アドレスメッセージ（ＩＡＭ）において指示を予め送信することができる。ＵＵＳサービス１は、コール設定メッセージをシグナリングするときに使用できるユーザ対ユーザシグナリングサービスを指す。
【００２９】
ＩＡＭは、交換機１、３及び２に通される。被呼ユーザ装置ＭＳ Ｂは、次いで、ＵＤＩ／ＲＤＩ要求を含むＳＥＴＵＰ（ＩＡＭ）メッセージを受信する。このようなＳＥＴＵＰメッセージの受信は、ＩＳＵＰ及び／又はＧＳＭ／ＵＭＴＳの既存の特徴であり、従って、ここでは詳細に説明しない。受信の後に、ＭＳ Ｂは、適当なメッセージにおいて確認を送信する。例えば、「ＡＬＥＲＴＩＮＧ（警報）」、「アドレス完了メッセージ（ＡＣＭ）」、又は「ＣＯＮＮＥＣＴ（接続）応答メッセージ（ＡＮＭ）」が、発呼ユーザ装置ＭＳ Ａへ転送される。
【００３０】
次いで、コールは、ＳＥＴＵＰメッセージにより指示されたように、スピーチコールとして設定される。しかしながら、中間ネットワークにおける接続は、必要なときに、スピーチモードからＵＤＩ／ＲＤＩマルチメディアモードへ容易にスワップするように、圧縮を伴わずにＵＤＩ／ＲＤＩ送信を使用する。
【００３１】
ある可能性によれば、被呼ターミナルＭＳ Ｂは、「スピーチ」指示を受け取ると、その結果、「スピーチ」及び「マルチメディア」のような２つのＢＣＩＥでＳＥＴＵＰ ＩＡＭに応答する。これらＢＣＩＥは、コールがスピーチでスタートするようにこの順序で搬送される。又、受信側ユーザ装置ＭＳ  Ｂは、発呼ユーザ装置ＭＳ  Ａからの初期スピーチ指示の受信を確認する（例えば、上記のＵＵＳメカニズムを使用して）。従って、被呼ユーザ装置ＭＳ Ｂは、必要に応じて、モードを後でスワップするための可能性も予約する。又、被呼ユーザ装置ＭＳ Ｂは、コールのスタートにどのモードを使用すべきか第１のＢＣＩＥにより指示する。
【００３２】
別の実施形態によれば、被呼ユーザ装置ＭＳ Ｂは、「ＵＤＩ／ＲＤＩが先」（即ち、ＵＤＩ／ＲＤＩマルチメディアＢＣＩＥとスピーチＢＣＩＥがこの順序で）で設定メッセージに応答し、そしてスピーチへの変更（それ自身とサービングネットワークとの間の）を後で開始し、例えば、ＳＥＴＵＰの直後に開始する。
【００３３】
発呼ユーザ装置ＭＳ Ａは、「スピーチ」要求に対して否定確認を得るか、又は確認を全く得ないことが考えられる。例えば、被呼ターミナル又は中間ネットワークは、使用されたシグナリングメカニズム、例えば、ＵＵＳをサポートしない。発呼ユーザ装置ＭＳ Ａは、ＵＤＩ／ＲＤＩマルチメディアへの変更を開始する（それ自身とサービングネットワークとの間で）。次いで、２つのユーザ装置間でマルチメディアコールが行われる。
【００３４】
又、ＳＥＴＵＰ初期アドレスメッセージ（ＩＡＭ）においてＵＵＳサービス２を呼び出し、そしてこのＵＵＳサービス２を利用して、指示及び確認メッセージを、ＵＳＥＲ ＩＮＦＯＲＭＡＴＩＯＮ（ＵＳＲ）メッセージ（即ちユーザ対ユーザ情報メッセージ）におけるＡＬＥＲＴＩＮＧ（ＡＣＭ）とＣＯＮＮＥＣＴ（ＡＮＭ）との間に搬送することも考えられる。この場合、被呼ユーザ装置ＭＳ Ｂは、「ＵＤＩ／ＲＤＩが先」（即ち、ＵＤＩ／ＲＤＩマルチメディアＢＣＩＥとスピーチＢＣＩＥがこの順序で）で設定メッセージに応答し、そしてスピーチへの変更（それ自身とサービングネットワークとの間の）を後で開始し、例えば、ＳＥＴＵＰの直後に開始する。
【００３５】
図４ａに示すように、ＵＵＳサービス３を呼び出し、２つのユーザ装置間に指示を通信することも考えられる。ＵＵＳサービス３では、ＵＤＩモードからスピーチモードへのスワップが、コールのアクティブな段階中に第１に行われる。即ち、コールがマルチメディアモードで設定されても、直ちにスピーチモードに変更され、そしてその後、必要に応じて、マルチメディアモードに変更して「戻される」。
【００３６】
ＵＵＳサービス３は、ＳＥＴＵＰ（ＩＡＭ）において呼び出されるか、又は図４ａに示すように、ＩＳＵＰのいわゆるファシリティ要求メッセージ及びファシリティ受け入れメッセージ（ＦＡＲ及びＦＡＡ）を使用してアクティブなコール段階に到達した後に呼び出される。次いで、モードの指示及び考えられる確認が、アクティブなコール状態の始めにＵＳＥＲ ＩＮＦＯＲＭＡＴＩＯＮ（ＵＳＲ）メッセージと共に搬送される。
【００３７】
ＵＵＳメカニズムに代わって、アプリケーション搬送メカニズム（ＡＰＭ）を適当なＡＰＭユーザアプリケーションと共に使用することができる。ＡＰＭは、標準的なＩＳＵＰシグナリングメカニズムであり、従って、ここでは詳細に説明しない。
ＭＳＣ（又はＭＳＳ）のようなネットワーク装置は、発呼者ＭＳ ＡからのＢＣＩＥをＩＳＵＰ／ＢＩＣＣに対して変換し、そしてそれらを被呼者ＭＳ Ｂへ転送する。例えば、ＩＴＵ−Ｔ Ｑ．７６４に規定されたようなＩＳＵＰ後退ファシリティが要求されてもよい。
【００３８】
少なくとも１つの更に別のモードに対する可能性の指示が２つのユーザ装置間に首尾良く通信された後に、ユーザ装置は、これらモード間を変更即ちスワップする。コール中にスピーチからマルチメディアへ又はそれとは逆にスワップする考えられる手順について以下に説明する。
【００３９】
図４ｂ及び５に示すように、ユーザは、自分のユーザ装置ＭＳ Ａをアクチベートして、「マルチメディアへのスワップ」（又は「スピーチへのスワップ」指示を送信する。この指示は、中間ネットワーク装置１ないし３に対して透過的であるのが好ましく、接続の他方の当事者（ＭＳ Ｂ）に対してのみ意味がある。上述したように、ユーザ対ユーザサービス（ＵＵＳ）がシグナリングに使用される。
【００４０】
この指示は、例えば、テキストメッセージ又はコマンド、フラグ、等々である。ＵＵＳサービス３は、ＳＥＴＵＰ（ＩＡＭ）において予め呼び出されるか、或いはアクティブなコール段階中にＦＡＣＩＬＩＴＹ（ＦＡＲ＆ＦＡＡ）メッセージと共に呼び出される。呼び出しの後に、ＵＵＳサービス３は、コールのアクティブな段階に、スワップ指示及び確認を、例えば、ＵＳＥＲ ＩＮＦＯＲＭＡＴＩＯＮ（ＵＳＲ）メッセージにより搬送するのに使用できる。上述したように、ＵＵＳメカニズムの使用に対する別の形態は、ＡＰＭメカニズムを適当なＡＰＭユーザアプリケーションと共に使用することである。
【００４１】
被呼ユーザ装置ＭＳ Ｂは、「マルチメディア／スピーチへのスワップ」指示を受け取り、その結果、スピーチモードからＵＤＩ／ＲＤＩマルチメディアモードへ或いはマルチメディアモードからスピーチモードへの変更を開始する。この変更は、ユーザ装置によって開始され、これは、ユーザ装置ＭＳ Ｂと、サービング交換機２のようなサービングネットワークの要素との間の岐路のみに関連したものである。又、ユーザ装置ＭＳ Ｂは、例えば、上記のＵＵＳ又はユーザ情報メッセージを使用して、ユーザ装置ＭＳ Ａへ「マルチメディア／スピーチへのスワップ」指示を確認する。
【００４２】
ユーザ装置ＭＳ Ａは、確認を受け取り、その結果、それ自身とサービングネットワークとの間でスピーチからＵＤＩ／ＲＤＩマルチメディアへの又はマルチメディアからスピーチへの変更を開始する。
従って、両端岐路における接続は、各ユーザ装置ＭＳ  Ａ及びＭＳ  Ｂの始めに変更される。上述したように、中間ネットワークにおける接続は、ＵＤＩ／ＲＤＩマルチメディアへの考えられるその後のスワップを容易に行うために圧縮を伴わないＵＤＩ／ＲＤＩ送信を常に使用する。しかしながら、これは必要なことではなく、そしてあるアプリケーションでは中間岐路も変更されることが明らかであろう。
【００４３】
ユーザ装置ＭＳ Ａが「スワップ」要求に対して否定確認を得るか、又は確認を全く得ない（即ち、ＭＳ Ｂも中間ネットワークも、使用されるシグナリングメカニズム、例えば、ＵＵＳをサポートしない）場合には、ユーザ装置ＭＳ Ａが現在モードに留まる。
ＵＵＳを使用すべき場合には、移動ステーション及び／又はＩＳＤＮターミナルのようなユーザ装置は、ＵＵＳ「スワップ」メッセージを発生しそして確認できるようにすることにより、スワップ特徴をサポートしなければならない。
【００４４】
ユーザ装置間でシグナリングが搬送される上記解決策とは別に、異なるモード間でスワップするためのネットワーク指向の解決策を提供することもできる。図６のフローチャートを参照して、これを説明する。
発呼ユーザ装置ＭＳ Ａが、スピーチでコールをスタートしたいが、コール中に後でＵＤＩ／ＲＤＩビデオ／マルチメディアへのスワップの可能性を予約したときには、ＳＥＴＵＰメッセージにおいて２つのＢＣＩＥ（スピーチＢＣＩＥ及びＵＤＩ／ＲＤＩマルチメディアＢＣＩＥをこの順序で）を送信する。
【００４５】
次いで、ＭＳＣ移動サービス交換センター又はＭＳＣサーバー（ＭＳＳ）のようなコントローラエンティティ１がＢＣＩＥをＩＳＵＰ／ＢＩＣＣに対して変換し、そしてそれらを別のネットワーク要素へ、より詳細には、被呼ユーザ装置ＭＳ Ｂにサービスする対応ネットワーク要素２へ転送する。
【００４６】
又、ＭＳ Ａにサービスするコントローラエンティティは、中間ネットワーク装置に対して透過的な「スピーチ」指示も送信し、これは、被呼ユーザ装置ＭＳ Ｂにサービスする対応ネットワーク要素２にとって意味のあるものである。例えば、この目的で、ユーザ対ユーザサービス（ＵＵＳ）を利用できるが、メッセージは、実際のユーザにより別のユーザへは送信されず、２つのサービングネットワーク要素１と２との間で送信される。ＵＵＳメカニズムに取って代わるものは、適当なＡＰＭユーザアプリケーションを伴うＡＰＭメカニズムである。
【００４７】
被呼ユーザ装置ＭＳ Ｂにサービスするネットワーク要素２は、ＳＥＴＵＰ（ＩＡＭ）をＵＤＩ／ＲＤＩ要求と共に受け取る。ネットワーク要素２は、「スピーチが先」指示も受け取る。その結果、サービングネットワーク要素２は、ＳＥＴＵＰ（ＩＡＭ）を２つのＢＣＩＥ、即ちスピーチ及びマルチメディアと共に、この順序で、被呼ユーザ装置ＭＳ Ｂに向けて転送し、コールをスピーチモードに設定する。ＢＣＩＥは、ＩＳＤＮから３ＧＰＰフォーマットに変換する必要がある。
【００４８】
被呼ユーザ装置ＭＳ Ｂは、２つのＢＣＩＥ、即ちスピーチ及びマルチメディアをこの順序でもつＳＥＴＵＰに応答し、スピーチでスタートする。被呼者ＭＳ Ｂにサービスするネットワーク要素２は、発呼者ユーザ装置ＭＳ Ａにサービスするネットワーク要素１へ「スピーチ」指示を確認する。上述したＵＵＳは、この目的で使用されてもよい。
【００４９】
次いで、コールがスピーチコールとして設定される。しかしながら、中間ネットワークにおける接続は、ＵＤＩ／ＲＤＩマルチメディアへの考えられるその後のスワップを容易に行うために圧縮せずにＵＤＩ／ＲＤＩ送信を使用する。
発呼ユーザ装置ＭＳ Ａにサービスするネットワーク要素１が「スピーチ」要求に対して否定確認を得るか、又は確認を全く得ない場合には、そのネットワーク要素１は、ＵＤＩ／ＲＤＩマルチメディアへの変更を開始する（それ自身とＭＳ Ａとの間で）。
【００５０】
発呼又は被呼のいずれかのユーザ装置のユーザがコール中にスピーチからマルチメディアへ又はその逆にスワップしたい場合には、ユーザは、自分の装置においてスワップ手順を開始する。例えば、ここでは、コール内変更手順が使用され、これは、既存の３ＧＰＰ特徴である。
【００５１】
一実施形態では、ユーザ装置（例えば、ＭＳ Ａ）にサービスするネットワーク要素（例えば、１）は、コール内変更を開始し、従って、それ自身とユーザ装置との間の変更手順を開始する。次いで、ネットワーク要素は、中間ネットワークに対して透過的な「マルチメディアへのスワップ」（又は「スピーチへのスワップ」）指示を送信し、これは、別のユーザ装置（例えば、ＭＳ Ｂ）にサービスするネットワーク要素（例えば、２）にとって意味のあるものである。上述したように、これは、ＵＵＳ（ユーザ対ユーザサービス）、又は適当なＡＰＭユーザアプリケーションを伴うＡＰＭメカニズムによって達成される。
【００５２】
他のユーザ装置にサービスする上記他のネットワーク要素が「マルチメディアへのスワップ」（又は「スピーチへのスワップ」）指示を受け取ると、その結果、それ自身と上記他のユーザ装置との間の岐路においてスピーチからＵＤＩ／ＲＤＩマルチメディアへ又はそれとは逆の変更を開始する。
【００５３】
他のユーザ装置（例えば、ＭＳ Ｂ）にサービスする他のネットワーク要素は、要求を発しているユーザ装置にサービスするネットワーク要素へ「スワップ」要求を確認する。次いで、このユーザ装置（例えば、ＭＳ Ａ）においてコール内変更手順が終了する。次いで、両端岐路における接続が変更される。
【００５４】
上述したように、中間ネットワークにおける接続は、ＵＤＩ／ＲＤＩマルチメディアへの考えられるその後のスワップを容易にするために圧縮を伴わずに常にＵＤＩ／ＲＤＩ送信を使用するように設定されているので、何ら変更を必要としなくてもよい。
例えば、ユーザ装置ＭＳ Ａにサービスするネットワーク要素１が「スワップ」要求に対して否定確認を得るか、又は確認を全く得ない場合には、ユーザ装置ＭＳ Ａにサービスするネットワーク要素１は、コール内変更を拒絶し、接続は現在モードに保たれる。
【００５５】
ある可能性により、ユーザ装置ＭＳ Ａにサービスするコントローラエンティティ１は、被呼ユーザ装置ＭＳ Ｂにサービスするネットワーク要素２に代わって被呼ユーザ装置ＭＳ Ｂと通信する。これは、例えば、いわゆる「移動対ＩＳＤＮターミナル」のケースにおいて必要とされる。
又、例えば、コールの一方の当事者がパケット交換（ＰＳ）ネットワークによりサービスされる一方、別の当事者Ｂが回路交換（ＣＳ）ネットワークによりサービスされる場合には、ユーザ装置とネットワーク要素との間のシグナリングも要求される（図７を参照）。図７では、回路交換環境１０を経ての通信においてインターワーキングネットワーク要素４とユーザ装置ＭＳ Ａ（又はユーザ装置にサービスするネットワーク要素）との間で必要な指示のシグナリングが発生する。コールの他方の当事者は、パケット交換通信環境２０に接続され、例えば、インターネットプロトコル（ＩＰ）又はセッション開始プロトコル（ＳＩＰ）に基づいて動作するものに接続される。
【００５６】
上述した解決策は、例えば、会議コールの場合のように３つ以上のユーザ装置がコールに含まれるケースにも適用できることに注意されたい。ユーザターミナル及び会議ブリッジは、動作モード間で同様にスワップされる。又、ある接続はスピーチモードであり、そしてある接続はビデオ／マルチメディアモードであることが考えられる。
【００５７】
以上、本発明の実施形態を、移動ステーションのようなユーザ装置に関連して説明したが、本発明の実施形態は、他の適当な形式のユーザ装置にも適用できることが明らかであろう。
本発明の実施形態は、ＧＳＭベースのシステムに関して説明した。本発明は、他の通信システムにも適用できる。
【００５８】
図２ないし５を参照して述べた原理は、他の制御特徴を与えるのにも使用できることが明らかであろう。従って、通信ネットワークを経、第１ユーザ装置と第２ユーザ装置との間のリンクを経て制御命令をシグナリングし、少なくとも一方のユーザ装置がその命令に基づいて制御動作を与える手順を開始することができる。この開始は、例えば、上記ユーザ装置が制御手順アクチベーション信号をネットワークに送信するようにして生じる。
【００５９】
又、本発明の実施形態を以上に述べたが、特許請求の範囲に規定する本発明の範囲から逸脱せずに、上記解決に対して多数の変更や修正がなされ得ることに注意されたい。
【図１】
0005599847.tif 000002
【図２】
0005599847.tif 000003
【図３】
0005599847.tif 000004
【図４ａ】
0005599847.tif 000005
【図４ｂ】
0005599847.tif 000006
【図５】
0005599847.tif 000007
【図６】
0005599847.tif 000008
【図７】
0005599847.tif 000009